(57)【要約】【課題】使用済みチケットを記念品として室内等に飾ることができるチケットホルダを提供する。【解決手段】板状のベース部材２に、写真等の飾り絵Ａと、競技観戦、博覧会、演奏会等の使用済みチケットＢとをそれぞれ前記ベース部材２の前面から見える状態で収容する飾り絵収容部３とチケット収容部４とを並べて設けた。【選択図】      図１
0003110263.tif 000002
【実用新案登録請求の範囲】
【請求項１】
板状のベース部材に、写真等の飾り絵と、競技観戦、博覧会、演奏会等の使用済みチケットとをそれぞれ前記ベース部材の前面から見える状態で収容する飾り絵収容部とチケット収容部とを並べて設けたことを特徴とするチケットホルダ。
【請求項２】
ベース部材の飾り絵収容部に、前記ベース部材のチケット収容部に入れられる使用済みチケットに関連した飾り絵が予め入れられていることを特徴とする請求項１に記載のチケットホルダ。
【請求項３】
ベース部材の飾り絵収容部とチケット収容部はそれぞれ、前記ベース部材の前面から凹入し、その凹入部の周面に飾り絵及び使用済みチケットの縁部を保持する溝部が設けられた形状に形成されており、前記ベース部材の一側面に、前記飾り絵収容部に連通する飾り絵差込口と、前記チケット収容部に連通するチケット差込口が設けられていることを特徴とする請求項１または２に記載のチケットホルダ。
【請求項４】
ベース部材の前面に、このベース部材と略同じ外形の透明シートが重ねられ、その外周に、前記ベース部材及び透明シートの周縁部をその外周及び前記透明シートの前面側と前記ベース部材の後面側から抱える枠部材が取外し可能に嵌合されていることを特徴とする請求項３に記載のチケットホルダ。
【請求項５】
ベース部材の前面に透明シートが重ねられ、その外周に枠部材が嵌合されたホルダ本体と、前記ホルダ本体の周縁部の一部をその外周及び前後から抱える形状に形成され、前記ホルダ本体の下端部に取外し可能に嵌着されるホルダ本体抱え部を有し、このホルダ本体抱え部の後面に足部材嵌着部が設けられた補助部材と、前記補助部材の足部材嵌着部に取外し可能に嵌合される補助部材係合部を有し、この補助部材係合部から後方に張出させて、下端に前記補助部材の底面と一緒にホルダ載置面上に置かれる足部が形成され、その上方に、前記ベース部材の後面の下端側部分に当接し、前記ホルダ本体をその上端側を斜め後方に傾けて立てた姿勢に支持するホルダ本体支え部が形成された足部材とを備えたことを特徴とする請求項４に記載のチケットホルダ。
【請求項６】
ホルダ本体を、その下端部と上端部とに補助部材を選択的に嵌着可能に形成し、前記補助部材を前記ホルダ本体の上端部に嵌着したときに、前記補助部材の足部材嵌着部に足部材に代えて取外し可能に嵌合されるホルダ本体吊下げ部材をさらに備えたことを特徴とする請求項５に記載のチケットホルダ。
【考案の詳細な説明】
【技術分野】
【０００１】
この考案は、使用済みチケットを記念品として室内等に飾るためのチケットホルダに関する。
【背景技術】
【０００２】
従来、競技観戦、博覧会、演奏会等の使用済みチケットを記念品として保存するためのアルバム等はあるが、室内等に飾れるようにしたものは無い。
【考案の開示】
【考案が解決しようとする課題】
【０００３】
この考案は、使用済みチケットを記念品として室内等に飾ることができるチケットホルダを提供することを目的としたものである。
【課題を解決するための手段】
【０００４】
この考案のチケットホルダは、板状のベース部材に、写真等の飾り絵と、競技観戦、博覧会、演奏会等の使用済みチケットとをそれぞれ前記ベース部材の前面から見える状態で収容する飾り絵収容部とチケット収容部とを並べて設けたことを特徴とする。
【０００５】
このチケットホルダは、前記ベース部材の飾り絵収容部に、前記ベース部材のチケット収容部に入れられる使用済みチケットに関連した飾り絵を予め入れたものが望ましい。
【０００６】
この考案のチケットホルダは、前記ベース部材の飾り絵収容部とチケット収容部をそれぞれ、前記ベース部材の前面から凹入し、その凹入部の周面に飾り絵及び使用済みチケットの縁部を保持する溝部が設けられた形状に形成し、前記ベース部材の一側面に、前記飾り絵収容部に連通する飾り絵差込口と、前記チケット収容部に連通するチケット差込口を設けたものが望ましい。
【０００７】
その場合は、前記ベース部材の前面に、このベース部材と略同じ外形の透明シートを重ね、その外周に、前記ベース部材及び透明シートの周縁部をその外周及び前記透明シートの前面側と前記ベース部材の後面側から抱える枠部材が取外し可能に嵌合するのが好ましい。
【０００８】
また、この考案のチケットホルダは、前記ベース部材の前面に前記透明シートが重ねられ、その外周に前記枠部材が嵌合されたホルダ本体と、前記ホルダ本体の周縁部の一部をその外周及び前後から抱える形状に形成され、前記ホルダ本体の下端部に取外し可能に嵌着されるホルダ本体抱え部を有し、このホルダ本体抱え部の後面に足部材嵌着部が設けられた補助部材と、前記補助部材の足部材嵌着部に取外し可能に嵌合される補助部材係合部を有し、この補助部材係合部から後方に張出させて、下端に前記補助部材の底面と一緒にホルダ載置面上に置かれる足部が形成され、その上方に、前記ベース部材の後面の下端側部分に当接し、前記ホルダ本体をその上端側を斜め後方に傾けて立てた姿勢に支持するホルダ本体支え部が形成された足部材とを備えているのが望ましい。
【０００９】
さらに、このチケットホルダは、前記ホルダ本体を、その下端部と上端部とに補助部材を選択的に嵌着可能に形成し、前記補助部材を前記ホルダ本体の上端部に嵌着したときに、前記補助部材の足部材嵌着部に前記足部材に代えて取外し可能に嵌合されるホルダ本体吊下げ部材をさらに備えているのが好ましい。
【考案の効果】
【００１０】
この考案のチケットホルダは、板状のベース部材に、飾り絵と使用済みチケットとをそれぞれ前記ベース部材の前面から見える状態で収容する飾り絵収容部とチケット収容部とを並べて設けものであるため、写真等の飾り絵と一緒に、競技観戦、博覧会、演奏会等の使用済みチケットを記念品として室内等に飾ることができる。
【００１１】
このチケットホルダは、前記ベース部材の飾り絵収容部に、前記ベース部材のチケット収容部に入れられる使用済みチケットに関連した飾り絵を予め入れたものが望ましく、このようにすることにより、チケットホルダの購入者に、使用済みチケットをそのチケットに関連した飾り絵と一緒に飾らせることができる。
【００１２】
この考案のチケットホルダは、前記ベース部材の飾り絵収容部とチケット収容部をそれぞれ、前記ベース部材の前面から凹入し、その凹入部の周面に飾り絵及び使用済みチケットの縁部を保持する溝部が設けられた形状に形成し、前記ベース部材の一側面に、飾り絵差込口とチケット差込口を設けた構成のものが望ましく、このようにすることにより、前記飾り絵収容部とチケット収容部にそれぞれ飾り絵と使用済みチケットを脱落しないように収容するとともに、前記飾り絵収容部及びチケット収容部への飾り絵と使用済みチケットの差込み及び取出しを容易に行なうことができる。
【００１３】
その場合は、前記ベース部材の前面に前記透明シートを重ね、その外周に前記枠部材を嵌合するのが好ましく、このようにすることにより、前記ベース部材の前面及びその飾り絵収容部とチケット収容部にそれぞれ収容された飾り絵と使用済みチケットを前記透明シートにより損傷したり汚れたりしないように保護するとともに、前記ベース部材の一側面に設けられた前記飾り絵差込口とチケット差込口を前記枠部材により覆い隠して外観を良くすることができる。
【００１４】
また、この考案のチケットホルダは、前記ベース部材の前面に前記透明シートが重ねられ、その外周に前記枠部材が嵌合されたホルダ本体と、前記ホルダ本体抱え部を有し、このホルダ本体抱え部の後面に足部材嵌着部が設けられた補助部材と、前記補助部材係合部を有し、この補助部材係合部から後方に張出させて前記足部が形成され、その上方に前記ホルダ本体支え部が形成された足部材とを備えているのが望ましく、このようにすることにより、チケットホルダを前記ホルダ載置面上に自立させて置くことができる。
【００１５】
さらに、このチケットホルダは、前記ホルダ本体を、その下端部と上端部とに補助部材を選択的に嵌着可能に形成し、前記補助部材を前記ホルダ本体の上端部に嵌着したときに、前記補助部材の足部材嵌着部に前記足部材に代えて取外し可能に嵌合されるホルダ本体吊下げ部材をさらに備えているのが好ましく、このようにすることにより、チケットホルダを壁等に吊下げることができる。
【考案を実施するための最良の形態】
【００１６】
図１〜図６はこの考案の一実施例を示しており、図１はチケットホルダの机上等に自立させて置いた状態の外観図、図２、図３及び図４は図１のII−II線、III−III線及びIV−IV線に沿う拡大断面図、図５は前記チケットホルダの分解斜視図、図６は前記チケットホルダを壁等に吊下げるときの後面側から見た上端部の斜視図である。
【００１７】
このチケットホルダは、写真等の飾り絵Ａと、競技観戦、博覧会、演奏会等の使用済みチケットＢとを収容するホルダ本体１と、このホルダ本体１をその上端側を斜め後方に傾けて立てた姿勢に支持するための補助部材８及び足部材１１とを備えている。
【００１８】
前記ホルダ本体１は、前記飾り絵Ａと使用済みチケットＢとをそれぞれ前面から見える状態で収容する飾り絵収容部３とチケット収容部４とを並べて設けた板状のベース部材２と、このベース部材の前面に重ねられた透明シート６と、前記ホルダ本体１及び透明シート６の外周に取外し可能に嵌合された枠部材７とからなっている。
【００１９】
前記ベース部材２は、例えば、六つ切りサイズ、つまり上下辺間の高さが２８５ｍｍ、左右辺間の幅が２３５ｍｍの縦長矩形状の板材からなっており、このベース部材２に、前記飾り絵Ａのサイズに対応する横長矩形状の飾り絵収容部３と、前記使用済みチケットＢのサイズに対応する横長矩形状のチケット収容部４とが、その間に程度な間隔をおいて上下に並べて設けられている。
【００２０】
このベース部材２の飾り絵収容部３とチケット収容部４はそれぞれ、前記ベース部材２の前面から凹入し、その凹入部の周面に飾り絵及び使用済みチケットの縁部を保持する溝部５が設けられた形状に形成されており、前記ベース部材２の一側面に、前記飾り絵収容部３に連通する飾り絵差込口３ａと、前記チケット収容部４に連通するチケット差込口４ａが設けられている。
【００２１】
なお、図では前記ベース部材２を１枚の板材のように示しているが、このベース部材２は、厚紙からなる後面板と、飾り絵収容部３及びチケット収容部４に対応する横長矩形状の２つの開口が設けられた厚紙からなる前面板と、この前面板の２つの開口にそれぞれ対応する部分に、上下辺と左右いずれか一方の側辺が前記開口よりも僅かに外方に位置し、他の側辺が一側縁に開放した２つの切欠部を設けた厚紙からなる中間板とを貼り合わせたものであり、飾り絵収容部３及びチケット収容部４の周面の溝部５と飾り絵差込口３ａ及びチケット差込口４ａは、前面板と後面板との間の中間板の切欠部に対応する隙間により形成されている。
【００２２】
また、前記透明シート６は、前記ベース部材２と略同じ外形の矩形状樹脂フィルムからなっている。
【００２３】
また、前記枠部材７は、前記ベース部材２及びその前面に重ねられた透明シート６の外周部をその周囲及び透明シート６の前面側とベース部材２の後面側から抱える断面形状を有する弾性樹脂製チャンネル材の互いに対向する２つのフランジ部を、前記ベース部材２の４つの角部にそれぞれ対応する位置において９０°の開き角でＶ状に切り落としたものであり、その各切り落とし部の中心において折り曲げられてベース部材２及び透明シート６の外周に巻き付けられ、このホルダ本体１及び透明シート６の周縁部に取外し可能に嵌合される。
【００２４】
なお、この枠部材７は、その各辺の２つのフランジ部の間にベース部材２と透明シート６とを程度な弾力で挟持するように設計されており、したがって、この枠部材７がみだりに抜け外れることはない。
【００２５】
一方、前記補助部材８は、前記ベース部材２の前面に透明シート６が重ねられ、その外周に枠部材７が嵌合されたホルダ本体１の周縁部の一部をその外周及び前後から抱える形状に形成され、前記ホルダ本体１の下端部に取外し可能に嵌着されるホルダ本体抱え部９を有し、このホルダ本体抱え部９の後面に足部材嵌着部１０が設けられた樹脂成型品からなっている。
【００２６】
この補助部材８は、弾性樹脂からなる型材を前記ホルダ本体１の上下辺の長さの１／２〜１／３程度、例えば１００〜１２０ｍｍ程度の長さに切断したものであり、そのホルダ本体抱え部９は、前記枠部材７を抱え込んで透明シート６の前面とベース部材２の後面とにそれぞれ弾性接触する断面形状に形成され、前記足部材嵌着部１０は、前記ホルダ本体抱え部９のベース部材接触部の後面の上下縁に形成された一対の溝状部からなっている。
【００２７】
また、前記足部材１１は、前記補助部材８の足部材嵌着部１０に取外し可能に嵌合され、前記補助部材８の長さ方向（ホルダ本体１の下辺に沿った方向）にスライド調整される補助部材係合部１２を有し、この補助部材係合部１２から後方に張出させて、下端に前記補助部材８の底面と一緒にホルダ載置面上に置かれる足部１３が形成され、その上方に、前記ベース部材２の後面の下端側部分に当接し、前記ホルダ本体１をその上端側を斜め後方に傾けて立てた姿勢に支持するホルダ本体支え部１４が形成された硬質樹脂成形品からなっている。
【００２８】
なお、この足部材１１は、７０〜８０°の開き角度を有する扇状板からなっており、その扇状の要部付近に前記補助部材係合部１２が一体に形成され、前記扇状板の２つの直線辺により前記足部１３とホルダ本体支え部１４が形成されている。
【００２９】
さらに、このチケットホルダは、前記ホルダ本体１を、その下端部と上端部とに前記補助部材８を選択的に嵌着可能に形成したものであり、前記足部材１１の他に、前記補助部材８を前記ホルダ本体１の上端部に嵌着したときに、図６に示したように前記補助部材８の足部材嵌着部１０に前記足部材１１に代えて取外し可能に嵌合されるホルダ本体吊下げ部材１５をさらに備えている。
【００３０】
このホルダ本体吊下げ部材１５は、前記補助部材８の足部材嵌着部１０に取外し可能に嵌合される補助部材係合部１６と、吊り紐の取付け部１７とを有する樹脂成形品からなっている。
【００３１】
このチケットホルダは、前記ベース部材２の飾り絵収容部３に、前記ベース部材２のチケット収容部４に入れられる使用済みチケットに関連した飾り絵（例えばサッカー等の競技の観戦チケットの場合は、その競技の開催者の承認を得た競技者や競技場の写真等）Ａを予め入れ、前記ベース部材２のチケット収容部４に、使用済みチケットＢの差込み方等を記載した使用説明カードを入れた状態で、このベース部材２の前面に透明シート６を重ねるとともにその外周に前記枠部材７を嵌合してホルダ本体１を仮組立てし、このホルダ本体１と、前記補助部材８と足部材１１とホルダ本体吊下げ部材１５とを１つのセットにして、競技場やチケット販売所において販売される。
【００３２】
そして、チケットホルダの購入者は、前記ホルダ本体１から枠部材７を取外し、前記ベース部材２のチケット収容部４の使用説明カードを取出してこのチケット収容部４に使用済みチケットＢを入れた後に、前記枠部材７を再び取付けて前記ホルダ本体１を組み立て、その下端部に補助部材８を嵌着するとともに、この補助部材８に前記足部材１１を嵌込んで前記チケットホルダを前記ホルダ載置面上に自立させて置くか、あるいは、前記ホルダ本体１の上端部に前記補助部材８を嵌着し、この補助部材８に前記ホルダ本体吊下げ部材１５を嵌込んで前記チケットホルダを壁等に吊下げる。
【００３３】
このチケットホルダは、板状のベース部材２に、飾り絵Ａと使用済みチケットＢとをそれぞれ前記ベース部材２の前面から見える状態で収容する飾り絵収容部３とチケット収容部４とを並べて設けものであるため、写真等の飾り絵と一緒に、競技観戦、博覧会、演奏会等の使用済みチケットを記念品として室内等に飾ることができる。
【００３４】
また、このチケットホルダは、上述したように、前記ベース部材２の飾り絵収容部３に、前記ベース部材２のチケット収容部４に入れられる使用済みチケットＡに関連した飾り絵Ａを予め入れて販売することができる、チケットホルダの購入者に、使用済みチケットＢをそのチケットに関連した飾り絵Ａと一緒に飾らせることができる。
【００３５】
なお、前記ベース部材２の飾り絵収容部３に収容された飾り絵Ａは、チケットホルダ購入者の好みに応じて交換することができる。
【００３６】
また、このチケットホルダは、前記ベース部材２の飾り絵収容部３とチケット収容部４をそれぞれ、前記ベース部材２の前面から凹入し、その凹入部の周面に飾り絵Ａ及び使用済みチケットＢの縁部を保持する溝部５が設けられた形状に形成し、前記ベース部材２の一側面に、前記飾り絵収容部３に連通する飾り絵差込口３ａと、前記チケット収容部４に連通するチケット差込口４ａを設けたものであるため、前記飾り絵収容部３とチケット収容部４にそれぞれ飾り絵Ａと使用済みチケットＢを脱落しないように収容するとともに、前記飾り絵収容部３及びチケット収容部４への飾り絵Ａと使用済みチケットＢの差込み及び取出しを容易に行なうことができる。
【００３７】
そして、このチケットホルダは、前記ベース部材２の前面に、このベース部材２と略同じ外形の透明シート６を重ね、その外周に、前記ベース部材２及び透明シート６の周縁部をその外周及び前記透明シート６の前面側と前記ベース部材２の後面側から抱える枠部材７を取外し可能に嵌合しているため、前記ベース部材２の前面及びその飾り絵収容部３とチケット収容部４にそれぞれ収容された飾り絵Ａと使用済みチケットＢを前記透明シート６により損傷したり汚れたりしないように保護するとともに、前記ベース部材２の一側面に設けられた前記飾り絵差込口３ａとチケット差込口４ａを前記枠部材７により覆い隠して外観を良くすることができる。
【００３８】
また、このチケットホルダは、前記ベース部材２の前面に透明シート６が重ねられ、その外周に前記枠部材７が嵌合されたホルダ本体１と、前記ホルダ本体１の周縁部の一部をその外周及び前後から抱える形状に形成され、前記ホルダ本体１の下端部に取外し可能に嵌着されるホルダ本体抱え部９を有し、このホルダ本体抱え部９の後面に足部材嵌着部１０が設けられた補助部材８と、前記補助部材８の足部材嵌着部１０に取外し可能に嵌合される補助部材係合部１２を有し、この補助部材係合部１２から後方に張出させて、下端に前記補助部材８の底面と一緒にホルダ載置面上に置かれる足部１３が形成され、その上方に、前記ベース部材２の後面の下端側部分に当接し、前記ホルダ本体１をその上端側を斜め後方に傾けて立てた姿勢に支持するホルダ本体支え部１４が形成された足部材１１とを備えているため、チケットホルダを前記ホルダ載置面上に自立させて置くことができる。
【００３９】
さらに、このチケットホルダは、前記ホルダ本体１を、その下端部と上端部とに補助部材を選択的に嵌着可能に形成し、前記補助部材８を前記ホルダ本体１の上端部に嵌着したときに、前記補助部材８の足部材嵌着部１０に前記足部材１１に代えて取外し可能に嵌合されるホルダ本体吊下げ部材１５をさらに備えているため、チケットホルダを壁等に吊下げることができる。
【００４０】
また、このチケットホルダのホルダ本体１は、板状のベース部材２と、その前面に重ねられた透明シート６と、前記ベース部材２及び透明シート６の外周に嵌込まれた枠部材７とからなっているため、このホルダ本体１を、複数の透明な収容袋を綴じ込んだバインダ等に収納して保管することができる。
【００４１】
なお、上記実施例では、ホルダ本体１の枠部材７を、ベース部材２及び透明シート６の外周に巻き付けられるものとしているが、この枠部材７は、前記ベース部材２の上下辺と飾り絵差込口３ａ及びチケット差込口４ａが設けられた側とは反対側の側辺に取外し可能に嵌合されるコ字状枠と、前記ベース部材２の飾り絵差込口３ａ及びチケット差込口４ａが設けられた側とは反対側の側辺に取外し可能に嵌合される縦枠とにより構成してもよく、その場合、前記縦枠は、前記コ字状枠の一端に折り曲げ可能に設けても、前記コ字状枠とは別体のものとしてもよい。
【００４２】
また、この考案のチケットホルダは、前記ベース部材２の前面に重ねられる透明シート６と前記枠部材７を省略し、前記ベース部材２と同じ外形を有する厚紙等からなり、一側縁をベース部材２の飾り絵差込口３ａ及びチケット差込口４ａが設けられた側の側縁に屈曲可能なヒンジ部を介して連結され、前記ベース部材２の前面に重ねられた状態とベース部材２の前面を露出させる状態とに開閉される表紙カバーを設けた構成としてもよく、その場合も、前記表紙カバーをベース部材２に対して直角またはそれに近い角度で開き、ベース部材２と表紙カバーの両方の下縁を足部としてホルダ載置面上に自立させて置くことにより、ベース部材２のチケット収容部４に入れた使用済みチケットＢを、前記ベース部材２の飾り絵収容部３内の飾り絵Ａと一緒に飾ることができる。その場合、上記実施例で備えた補助部材８と足部材１１及びホルダ本体吊下げ部材１６は不要である。
【図面の簡単な説明】
【００４３】
【図１】この考案の一実施例を示すチケットホルダの机上等に自立させて置いた状態の外観図。
【図２】図１のII−II線に沿う拡大断面図。
【図３】図１のIII−III線に沿う拡大断面図。
【図４】図１のIV−IV線に沿う拡大断面図。
【図５】前記チケットホルダの分解斜視図。
【図６】前記チケットホルダを壁等に吊下げるときの後面側から見た上端部の斜視図。
【符号の説明】
【００４４】
１…ホルダ本体、２…ベース部材、３…飾り絵収容部、３ａ…飾り絵差込口、４…チケット収容部、４ａ…チケット差込口、５…溝部、６…透明シート、７…枠部材、８…補助部材、９…ルダ本体抱え部、１０…足部材嵌着部、１１…足部材、１２…補助部材係合部、１３…足部、１４…ホルダ本体支え部、１６…ホルダ本体吊下げ部材。
【図１】
0003110263.tif 000003
【図２】
0003110263.tif 000004
【図３】
0003110263.tif 000005
【図４】
0003110263.tif 000006
【図５】
0003110263.tif 000007
【図６】
0003110263.tif 000008